(57)【要約】      （修正有）【課題】浴槽の長手方向を向く姿勢に対応する着座の方向性が識別可能な風呂蓋を提供する。【解決手段】風呂蓋１００は、湯を溜める浴槽の上部に長手方向の両端部が載置される。風呂蓋１００は板状をなす。風呂蓋１００は、風呂蓋１００の厚み方向の一表面における長手方向に沿う一方の側辺側に相当する一方の長辺側に、風呂蓋１００の厚み方向に起伏した形状を有する第１部分１４ａが形成されている。第１部分１４ａは、一方の側辺に相当する前記一方の長辺に沿って形成されている。【選択図】図３
2017119009.tif 000002
【特許請求の範囲】
【請求項１】
浴槽の上部に長手方向の両端部が載置される板状の風呂蓋であって、
厚み方向の一表面における前記長手方向に沿う一方の側辺側に、厚み方向に起伏した形状を有する第１部分が該側辺に沿って形成されていることを特徴とする風呂蓋。
【請求項２】
前記第１部分は、前記長手方向の断面が凸状であることを特徴とする請求項１に記載の風呂蓋。
【請求項３】
前記第１部分は、前記一方の側辺側で厚みが減少するように形成されていることを特徴とする請求項１に記載の風呂蓋。
【請求項４】
前記第１部分は、前記一方の側辺側で厚みが増加するように形成されていることを特徴とする請求項１に記載の風呂蓋。
【請求項５】
前記第１部分は、前記長手方向の断面が凹状であることを特徴とする請求項１に記載の風呂蓋。
【請求項６】
前記第１部分は、クッション材によって形成されていることを特徴とする請求項１から５のいずれか１項に記載の風呂蓋。
【請求項７】
前記一表面における前記長手方向の両端辺の縁部に、厚み方向に起伏した形状を有する第２部分が該縁部に沿って形成されていることを特徴とする請求項１から６のいずれか１項に記載の風呂蓋。
【請求項８】
前記第２部分は、クッション材によって形成されていることを特徴とする請求項７に記載の風呂蓋。
【請求項９】
前記第１部分および前記第２部分が連なっていることを特徴とする請求項７または８に記載の風呂蓋。
【請求項１０】
浴槽の上部に長手方向の両端部が載置される板状の風呂蓋であって、
前記長手方向に沿う一方の側辺側の両端における角部が丸みを帯びた形状を有し、
他方の側辺側の直線部分が前記一方の側辺側よりも長いことを特徴とする風呂蓋。
【請求項１１】
短手方向の寸法が、長手方向の寸法の０．２倍以上０．６倍以下であることを特徴とする請求項１から１０のいずれか１項に記載の風呂蓋。
【発明の詳細な説明】
【技術分野】
【０００１】
本発明は、浴槽の上に載せる風呂蓋に関する。
【背景技術】
【０００２】
風呂蓋は、保温性を高めるべく発泡樹脂等の断熱素材からなる芯材を有する蓋本体と、蓋本体の両面の縁部および外周端面を覆って補強する被覆部とから構成されている。
【０００３】
例えば、特許文献１には、浴槽に載せた際に、浴槽の短手方向の一端側から他端側に向けて下方に傾斜する座位面が上面に形成された風呂蓋が開示されている。この風呂蓋は、浴槽を覆い、座位面に着座した状態でシャワーなどを使用した場合に、洗い水が座位面の傾斜に沿って流れ、浴槽内へ流れ込むことを防止する。
【先行技術文献】
【特許文献】
【０００４】
【特許文献１】特開２０１３−１４１５７７号公報
【発明の概要】
【発明が解決しようとする課題】
【０００５】
ところで、風呂蓋は、ユーザが浴槽の長手方向を向く姿勢で着座して足湯等をする用途にも使用し得る。特許文献１に記載の風呂蓋は、浴槽の長手方向から見ると座位面が傾斜しているため、浴槽の長手方向を向く着座姿勢には適していない。風呂蓋は、着座によってかかる体重に耐える強度が必要である一方、浴槽の長手方向を向く姿勢で着座して使用することが視認できるように、風呂蓋において着座の方向性が識別可能であることが必要であった。
【０００６】
本発明は、斯かる事情に鑑みてなされたものであり、その目的とするところは、浴槽の長手方向を向く姿勢に対応する着座の方向性が識別可能な風呂蓋を提供することにある。
【課題を解決するための手段】
【０００７】
本発明に係る風呂蓋は、浴槽の上部に長手方向の両端部が載置される板状の風呂蓋であって、厚み方向の一表面における前記長手方向に沿う一方の側辺側に、厚み方向に起伏した形状を有する第１部分が該側辺に沿って形成されていることを特徴とする。
【０００８】
本発明にあっては、風呂蓋は、第１部分を背中側にして着座すると座り易いとの印象をユーザに与えるので、浴槽の長手方向を向く姿勢に対応する風呂蓋の着座の方向性が識別される。
【０００９】
本発明に係る風呂蓋は、浴槽の上部に長手方向の両端部が載置される板状の風呂蓋であって、前記長手方向に沿う一方の側辺側の両端における角部が丸みを帯びた形状を有し、他方の側辺側の直線部分が前記一方の側辺側よりも長いことを特徴とする。
【００１０】
本発明にあっては、直線部分が長い側辺側を正面側にして着座すると座り易いとの印象をユーザに与え、浴槽の長手方向を向く姿勢に対応する風呂蓋の着座の方向性が識別される。
【発明の効果】
【００１１】
本発明によれば、風呂蓋は、浴槽の長手方向を向く姿勢に対応する着座の方向性が識別可能である。
【図面の簡単な説明】
【００１２】
【図１】実施形態１に係る風呂蓋の使用状態を示す斜視図である。
【図２】実施形態１に係る風呂蓋を載せる浴槽の外観を示す斜視図である。
【図３】実施形態１に係る風呂蓋の外観を示す斜視図である。
【図４】風呂蓋の平面図である。
【図５】風呂蓋を分解した平面図である。
【図６】図４のＡ−Ａ線による風呂蓋の断面図である。
【図７】図４のＢ−Ｂ線による風呂蓋の断面図である。
【図８】風呂蓋に着座して使用する場合の使用状態を示す模式図である。
【図９】実施形態２に係る風呂蓋の外観を示す斜視図である。
【図１０】風呂蓋の図６と同様の断面図である。
【図１１】風呂蓋の図７と同様の断面図である。
【図１２】変形例に係る風呂蓋の図７と同様の断面図である。
【図１３】別の変形例に係る風呂蓋の図７と同様の断面図である。
【発明を実施するための形態】
【００１３】
以下、本発明を好適な実施の形態をもとに図１から図１３を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
（実施形態１）
図１は本発明の実施形態１に係る風呂蓋１００の使用状態を示す斜視図であり、図２は本発明の実施形態に係る風呂蓋１００を載せる浴槽１１０の外観を示す斜視図である。風呂蓋１００は、浴槽１１０の上部に載せられ、図示しない他の風呂蓋とともに浴槽１１０に溜めた湯を保温する。風呂蓋１００は、湯の保温以外にユーザが着座したり、浴槽１１０内にユーザが浸かった状態等でテーブル代わりとしても使用される。浴槽１１０は、上部のフランジ部１１２の内側にフランジ部１１２から１段下がったフランジ段部１１４が周状に設けられている。風呂蓋１００は、浴槽１１０のフランジ段部１１４に載せられる。風呂蓋１００は、洗い場に設けられたカウンター１１６とほぼ同じ高さにあり、浴槽１１０の長手方向の端部１１５に寄せて位置させた状態で、ユーザが風呂蓋１００およびカウンター１１６間を移乗して動作するのに適する。
【００１５】
図３は本発明の実施形態に係る風呂蓋１００の外観を示す斜視図であり、図４は風呂蓋１００の平面図であり、図５は風呂蓋１００を分解した平面図である。図６は図４のＡ−Ａ線による風呂蓋１００の断面図であり、図７は図４のＢ−Ｂ線による風呂蓋１００の断面図である。風呂蓋１００は、矩形板状をなす蓋本体１と、蓋本体１の両面の縁部および外周端面を覆う被覆材２とを備える。
【００１６】
蓋本体１は、芯材１１、表面材１２及び１３、並びにクッション材１４を有する。蓋本体１は、一方の長辺側両端の角部１ａが丸みを帯びた形状を有しており、他方の長辺側の直線部分が該一方の長辺側の直線部分よりも長い形状となっている。角部１ａの丸みは、長軸方向が蓋本体１の短手方向を向く楕円弧状に形成されており、浴槽１１０のフランジ段部１１４からフランジ部１１２へ立ち上がる傾斜面の端部１１５側の隅部分における楕円弧形状に添う。尚、角部１ａの丸みは、長軸方向が蓋本体１の長手方向を向く楕円弧状、または円弧状であっても良い。また、角部１ａの丸みが大きく一方の長辺側が略円弧状となっていても良い。
【００１７】
芯材１１は、発泡ポリスチレン等の発泡樹脂製であり、浴槽１１０に溜めた湯の保温性を高めるため適度な厚みを有する矩形板状をなす。表面材１２は、ガラス繊維に合成樹脂を含浸した繊維強化樹脂（ＦＲＰ）の薄板であり、芯材１１の厚み方向の一面側を覆う。表面材１３は、ガラス繊維に合成樹脂を含浸した繊維強化樹脂（ＦＲＰ）の薄板の表面に保護膜としてポリプロピレン製シートを貼り付けてあり、芯材１１の厚み方向の他面側を覆う。ポリプロピレン製シートは、例えば革シボ調の表面加工を施し、意匠性を高めてある。
【００１８】
クッション材１４は発泡ポリエチレン等の発泡樹脂製であり、芯材１１の一面側を覆うように設けられている。クッション材１４は、長手方向に沿う一方の側辺側に相当する一方の長辺側において、蓋本体１の厚み方向に起伏した形状を有する第１部分１４ａが該一方の長辺に沿って形成されている。また、クッション材１４は、長手方向の両端辺に相当する両短辺の縁部において、蓋本体１の厚み方向に起伏した形状を有する第２部分１４ｂが短辺に沿って形成されている。第１部分１４ａは、蓋本体１の長手方向の断面が凸状である。また第２部分１４ｂは、蓋本体１の短手方向の断面が凸状である。
【００１９】
第１部分１４ａおよび第２部分１４ｂは連続している。クッション材１４は、第１部分１４ａを設けた長辺に対向する長辺側の縁部においては、凸状に起伏した形状を有していない。第１部分１４ａおよび第２部分１４ｂは、平面図で見て、全体としてＣ字状をなす。第１部分１４ａおよび第２部分１４ｂは、視覚的に着座の方向性を示すとともに、ユーザの座り心地を良くしている。尚、クッション材１４は、例えば革シボ調の表面加工を施し、意匠性を高めてある。
【００２０】
被覆材２は、風呂蓋１００の短辺２辺に沿って延びる被覆部２１、風呂蓋１００の長辺１辺に沿って延びる被覆部２２、該長辺に対向する長辺１辺に沿って延びる被覆部２３で構成される。図５に示すように、被覆部２１は、被覆部２２に連なる端部側で、蓋本体１の角部１ａに添って楕円弧状に湾曲している。被覆部２１は、被覆部２３に連なる端部側で、後述するように蓋本体１の厚み方向の幅が狭くなるように徐変しているため、例えば射出成形によって形成することができる。被覆部２２および２３は直線状であるため、例えば押出成形によって形成することができる。
【００２１】
図６を参照し、被覆部２１について説明する。被覆部２１は、縁被覆部２１ａおよび端面被覆部２１ｂを有する。端面被覆部２１ｂは、蓋本体１の厚み方向の幅を有して蓋本体１の短辺に沿って延びる板状をなし、蓋本体１の外周端面を覆う。
【００２２】
縁被覆部２１ａは、端面被覆部２１ｂにおける蓋本体１の厚み方向の両端から蓋本体１の内向きに屈曲し、蓋本体１の短辺に沿って延びる板状をなし、蓋本体１のクッション材１４および表面材１３の表面の縁部を覆う。図６に示す断面において、縁被覆部２１ａは、端面被覆部２１ｂに連なる基端部から先端部までの寸法が、表面材１３側よりもクッション材１４側で大きくしてある。
【００２３】
縁被覆部２１ａおよび端面被覆部２１ｂは、例えばオレフィン系エラストマーで構成し、含有するポリプロピレンの量によって硬度を定める。縁被覆部２１ａおよび端面被覆部２１ｂは、均一な硬さとしても良いし、各部位の用途に応じた硬度としてもよい。例えば、表面に傷がつき難くするためには、ＪＩＳ  Ｋ６２５３に従うショアＡ硬度を９０以上とすると良い。また、表面材１３側の縁被覆部２１ａは、ＪＩＳ  Ｋ６２５３に従うショアＡ硬度を８０以上９０未満とすることで、ユーザがクッション材１４側に着座したときに、風呂蓋１００がフランジ段部１１４の面に沿う方向に対してすべり難く安定性が高くなる。
【００２４】
次に図７を参照し、被覆部２２および被覆部２３について説明する。被覆部２２は、縁被覆部２２ａおよび端面被覆部２２ｂを有する。被覆部２３は、縁被覆部２３ａおよび端面被覆部２３ｂを有する。端面被覆部２２ｂおよび２３ｂは、蓋本体１の厚み方向の幅を有して蓋本体１の長辺に沿って延びる板状をなし、蓋本体１の外周端面を覆う。
【００２５】
縁被覆部２２ａおよび２３ａは、それぞれ端面被覆部２２ｂおよび２３ｂにおける蓋本体１の厚み方向の両端から蓋本体１の内向きに屈曲し、蓋本体１の長辺に沿って延びる板状をなし、蓋本体１のクッション材１４および表面材１３の表面の縁部を覆う。図７に示す断面において、縁被覆部２２ａおよび２３ａは、それぞれ端面被覆部２２ｂおよび２３ｂに連なる基端部から先端部までの寸法が、表面材１３側よりもクッション材１４側で大きくしてある。
【００２６】
縁被覆部２３ａは、風呂蓋１００の外周面となる面と交差する角部３３に丸みを持たせてある。被覆部２１および２２にも被覆部２３の角部３３と同様の角部がある。被覆部２３の角部３３の丸みは、被覆部２１および２２における対応する角部の丸みよりも大きい。被覆部２１は、被覆部２３に連なる端部側で縁被覆部２３ａの角部３３の丸みと連続する面を形成するために、蓋本体１の厚み方向の幅が狭くなるように徐変している。
【００２７】
縁被覆部２２ａおよび端面被覆部２２ｂ、並びに縁被覆部２３ａおよび端面被覆部２３ｂは、例えばオレフィン系エラストマーで構成し、含有するポリプロピレンの量によって硬度を定める。縁被覆部２２ａおよび端面被覆部２２ｂ、並びに縁被覆部２３ａおよび端面被覆部２３ｂは、均一な硬さとしても良いし、各部位の用途に応じた硬度としてもよい。例えば、表面に傷がつき難くするためには、ＪＩＳ  Ｋ６２５３に従うショアＡ硬度を９０以上とすると良い。また、表面材１３側の縁被覆部２２ａおよび縁被覆部２３ａは、ＪＩＳ  Ｋ６２５３に従うショアＡ硬度を８０以上９０未満とすることで、ユーザがクッション材１４側に着座したときに、風呂蓋１００がフランジ段部１１４の面に沿う方向に対してすべり難く安定性が高くなる。
【００２８】
次に、風呂蓋１００の動作について説明する。図８は風呂蓋１００に着座して使用する場合の使用状態を示す模式図である。図８は、浴槽１１０の長手方向を向く姿勢で風呂蓋１００にユーザが着座して使用する状態を示しており、風呂蓋１００は、クッション材１４側を上にして浴槽１１０のフランジ段部１１４に載せられている。クッション材１４は、ユーザが風呂蓋１００に着座したときに、適度な反発力で体重を支え、長時間の着座を可能にする。また、蓋本体１は、芯材１１の厚み方向の両面を繊維強化樹脂製の表面材１２および１３で覆っているので、強度が高く、ユーザの体重に耐える。
【００２９】
風呂蓋１００は、角部１ａが丸みを帯びた形状を有しているため、両端に角部１ａを有する長辺側の直線部分よりも、他方の長辺側の直線部分が長い。このため、直線部分が長い長辺側を正面側にして着座すると座り易いとの印象をユーザに与え、浴槽１１０の長手方向を向く姿勢に対応する風呂蓋１００の着座の方向性が識別される。
【００３０】
また、クッション材１４の第１部分１４ａおよび第２部分１４ｂは、上述のとおり、平面図で見て全体としてＣ字状をなし、第１部分１４ａおよび第２部分１４ｂによって囲まれた中央部に座面が形成されていることが視認され、着座の方向性を識別することができる。即ち、第１部分１４ａおよび第２部分１４ｂは、第１部分１４ａを背中側にして着座すると座り易く、逆に第１部分１４ａを正面側にして着座すると第１部分１４ａが大腿部に当たって違和感が生じるとの印象をユーザに与える。これにより、浴槽１１０の長手方向を向く姿勢に対応する風呂蓋１００の着座の方向性が識別される。
【００３１】
ユーザが第１部分１４ａを背中側にして着座したとき、大腿部は、縁部に沿って凸状に起伏した形状のない長辺側に位置し、被覆材２の被覆部２３に接触する。被覆部２３は、角部３３に丸みがあるので、大腿部が角部３３から受ける痛みが軽減される。
【００３２】
また、風呂蓋１００の長手方向の両端辺に相当する両短辺の縁部において、蓋本体１の厚み方向に起伏した形状を有する第２部分１４ｂが短辺２辺に沿って形成されていることで、風呂蓋１００の中央部の平坦面が座面となっていることが視認される。
【００３３】
尚、風呂蓋１００をテーブルとして使用する場合、風呂蓋１００は、表面材１３側を上にして浴槽１１０のフランジ段部１１４に載せる。表面材１３側は平坦な面となっているのでテーブルとして使い易い。風呂蓋１００をテーブルとして使用する際に、被覆部２３へ腕をもたせかけたとき、角部３３に丸みがあるので、腕が角部３３から受ける痛みが軽減される。
【００３４】
次に、実施形態１の風呂蓋１００の特徴を説明する。
本発明の実施形態１の風呂蓋１００は、板状であり、浴槽１１０の上部に長手方向の両端部が載置される。厚み方向の一表面における長手方向に沿う一方の側辺側に相当する一方の長辺側に、厚み方向に起伏した形状を有する第１部分１４ａが該一方の側辺に相当する該長辺に沿って形成されている。風呂蓋１００は、第１部分１４ａを背中側にして着座すると座り易いとの印象をユーザに与えるので、浴槽１１０の長手方向を向く姿勢に対応する風呂蓋１００の着座の方向性が識別される。
【００３５】
また、風呂蓋１００では、第１部分１４ａは長手方向の断面が凸状である。第１部分１４ａを正面側にして着座すると第１部分１４ａが大腿部に当たって違和感が生じるとの印象をユーザに与えるので、浴槽１１０の長手方向を向く姿勢に対応する風呂蓋１００の着座の方向性が識別される。
【００３６】
また、風呂蓋１００では、第１部分１４ａはクッション材１４によって形成されている。クッション材１４で第１部分１４ａの起伏形状を容易に形成することができ、適度な反発力で体重を支え、長時間の着座が可能になる。
【００３７】
また、風呂蓋１００では、一表面における長手方向の両端辺に相当する両短辺の縁部に、厚み方向に起伏した形状を有する第２部分１４ｂが該縁部に沿って形成されている。これにより、風呂蓋１００の中央部の平坦面が座面となっていることが視認される。
【００３８】
また、風呂蓋１００では、第２部分１４ｂはクッション材１４によって形成されている。クッション材１４で第２部分１４ｂの起伏形状を容易に形成することができ、適度な反発力で体重を支え、長時間の着座が可能になる。
【００３９】
また、風呂蓋１００では、第１部分１４ａおよび第２部分１４ｂが連なっている。第１部分１４ａおよび第２部分１４ｂは、平面図で見て全体としてＣ字状をなす。これにより、第１部分１４ａおよび第２部分１４ｂによって囲まれた中央部の平坦面が座面となっていることがより視認し易くなる。
【００４０】
また、風呂蓋１００では、長手方向に沿う一方の側辺側に相当する一方の長辺側の両端における角部１ａが丸みを帯びた形状を有し、他方の側辺側に相当する他方の長辺側の直線部分が該一方の長辺側よりも長い。これにより、直線部分が長い長辺側を正面側にして着座すると座り易いとの印象をユーザに与え、浴槽１１０の長手方向を向く姿勢に対応する風呂蓋１００の着座の方向性が識別される。また、フランジ段部１１４の隅部分に風呂蓋１００の角部１ａと同等な丸みが形成されていると、フランジ段部１１４に風呂蓋１００を載せる際、ユーザは、角部１ａをフランジ段部１１４の隅部分に対向させるとともに、該隅部分に寄せて風呂蓋１００を配置する。浴槽１１０は隅部分が湾曲した形状となっていることが多いので、風呂蓋１００は、丸みを帯びた角部１ａが形成された一方の長辺側に対向する他方の長辺側を直線状に形成しておくことで、着座の方向性が識別し易くなる。なお、他方の長辺側の直線部分が一方の長辺側よりも長いことには、丸みを帯びた角部１ａが大きく、一方の長辺側の直線部分が縮退し、一方の長辺側が円弧状あるいは楕円弧状となっている場合も含まれるものとする。
【００４１】
（実施形態２）
図９は実施形態２に係る風呂蓋１００の外観を示す斜視図であり、図１０は風呂蓋１００の図６と同様の断面図であり、図１１は風呂蓋１００の図７と同様の断面図である。実施形態２に係る風呂蓋１００のクッション材１４は、長手方向に沿う一方の側辺側に相当する一方の長辺側において、蓋本体１の厚みが減少するように形成された第１部分１４ｃを有し、長手方向の両端辺に相当する両短辺の縁部において、蓋本体１の厚みが減少するように形成された第２部分１４ｄを有する。第１部分１４ｃは長辺に沿って形成されており、第２部分１４ｄは短辺に沿って形成されている。
【００４２】
第１部分１４ｃおよび第２部分１４ｄは連続している。クッション材１４は、第１部分１４ｃを設けた長辺に対向する長辺側の縁部においては、なだらかに傾斜している。第１部分１４ｃおよび第２部分１４ｄは、全体として平面視でＣ字状をなし、第１部分１４ｃおよび第２部分１４ｄで囲まれる中央部が台状に起伏した視覚的印象を与える。
【００４３】
風呂蓋１００は、クッション材１４の第１部分１４ｃおよび第２部分１４ｄによって、中央部に台状の座面が形成されていることが視認され、着座の方向性を識別することができる。即ち、第１部分１４ｃを背中側にして着座すると座り易く、逆に第１部分１４ｃを正面側にして着座すると、蓋本体１の厚みが減少する第１部分１４ｃで大腿部への反発力が部分的に弱くなり違和感が生じるとの印象をユーザに与える。これにより、浴槽１１０の長手方向を向く姿勢に対応する風呂蓋１００の着座の方向性が識別される。
【００４４】
次に、実施形態２の風呂蓋１００の特徴を説明する。
本発明の実施形態２の風呂蓋１００は、第１部分１４ｃが、長手方向に沿う一方の側辺側に相当する一方の長辺側で厚みが減少するように形成されている。風呂蓋１００は、第１部分１４ｃを背中側にして着座すると座り易いとの印象をユーザに与えるので、浴槽１１０の長手方向を向く姿勢に対応する風呂蓋１００の着座の方向性が識別される。
【００４５】
次に、変形例について説明する。
図１２は変形例に係る風呂蓋１００の図７と同様の断面図である。風呂蓋１００のクッション材１４は、長手方向に沿う一方の側辺側に相当する一方の長辺側において、蓋本体１の厚みが増加するように形成された第１部分１４ｅを有する。第１部分１４ｅは長辺に沿って形成されている。また、上述の実施形態と同様に、クッション材１４は、長手方向の両端辺に相当する両短辺の縁部において、蓋本体１の厚みが増加するように形成された第２部分を有していてもよい。
【００４６】
クッション材１４は、第１部分１４ｅを設けた長辺に対向する長辺側の縁部においては、厚みが増加する形状を有していない。風呂蓋１００は、クッション材１４の第１部分１４ｅを背中側にして着座すると座り易く、逆に第１部分１４ｅを正面側にして着座すると、蓋本体１の厚みが増加する第１部分１４ｅが大腿部に当たって違和感が生じるとの印象をユーザに与える。これにより、浴槽１１０の長手方向を向く姿勢に対応する風呂蓋１００の着座の方向性が識別される。
【００４７】
図１３は別の変形例に係る風呂蓋１００の図７と同様の断面図である。風呂蓋１００のクッション材１４は、長手方向に沿う一方の側辺側に相当する一方の長辺側において、長手方向の断面が凹状である第１部分１４ｆを有する。第１部分１４ｆは長辺に沿って形成されている。また、上述の実施形態と同様に、クッション材１４は、長手方向の両端辺に相当する両短辺の縁部において、短手方向の断面が凹状である第２部分を有していてもよい。
【００４８】
クッション材１４は、第１部分１４ｆを設けた長辺に対向する長辺側の縁部においては、凹状に起伏した形状を有していない。風呂蓋１００は、クッション材１４の第１部分１４ｆを背中側にして着座すると座り易く、逆に第１部分１４ｆを正面側にして着座すると、凹状の第１部分１４ｃで大腿部への反発力が部分的に弱くなり違和感が生じるとの印象をユーザに与える。これにより、浴槽１１０の長手方向を向く姿勢に対応する風呂蓋１００の着座の方向性が識別される。
【００４９】
次に、変形例の特徴について説明する。
変形例に係る風呂蓋１００では、第１部分１４ｅは長手方向に沿う一方の側辺側に相当する一方の長辺側で厚みが増加するように形成されている。風呂蓋１００は、第１部分１４ｅを背中側にして着座すると座り易いとの印象をユーザに与えるので、浴槽１１０の長手方向を向く姿勢に対応する風呂蓋１００の着座の方向性が識別される。
【００５０】
また、別の変形例に係る風呂蓋１００では、第１部分１４ｆは長手方向の断面が凹状である。風呂蓋１００は、第１部分１４ｆを背中側にして着座すると座り易いとの印象をユーザに与えるので、浴槽１１０の長手方向を向く姿勢に対応する風呂蓋１００の着座の方向性が識別される。
【００５１】
上述の実施形態および各変形例において、風呂蓋１００は、フランジ段部１１４に配置される場合、フランジ段部１１４の長辺の直線部分に交差する長辺が、両端角部において、該直線部分に対して垂直に交差するような形状を有するとよい。また、風呂蓋１００は、浴槽１１０の隅部分の形状に合わせて、角部１ａ等の丸みを帯びた形状を有するが、少なくとも、フランジ段部１１４の長辺の直線部分に交差する長辺が両端角部において、フランジ段部１１４の載置面に平行になっているとよい。
【００５２】
上述の実施形態および各変形例において、風呂蓋１００の寸法は、長手方向と短手方向の寸法に著しい差を設けることでユーザの利便性が向上する。一般的な浴槽１１０の短手方向の寸法８００ｍｍに対するフランジ段部１１４の短手方向の寸法７５０ｍｍとすると、これに対応して風呂蓋１００の長手方向の寸法は約７５０ｍｍとなる。
【００５３】
風呂蓋１００の短手方向の寸法は、テーブルとして利用する場合に、手を置くことができ、寄りかかっても安定感があり、読書する場合に文庫本が置ける最低限の大きさなどを考慮すると、１５０ｍｍ以上であることが好ましい。風呂蓋１００の短手方向の寸法が小さいことで、ユーザは、浴槽１１０内に浸かった状態で、風呂蓋１００の長手方向を浴槽１１０の長手方向と平行にして、風呂蓋１００を湯に浮かべて容易に取り回すことも可能となる。
【００５４】
一方、風呂蓋１００に着座する場合には、風呂蓋１００の短手方向の寸法が大きすぎると、浴槽１１０の中央付近で座ることになり、長手方向端部の壁面から離隔することでユーザに不安感を与えるとともに、カウンター１１６から移乗し難くなり、更には浴室内で取り回し難くなる。よって、風呂蓋１００の短手方向の寸法は、一般的な椅子の座面サイズである４５０ｍｍ以下とすることが好ましい。したがって、風呂蓋１００の短手方向の寸法は、長手方向の寸法の０．２倍以上０．６倍以下であることが好ましい。
【００５５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５６】
１ａ  角部、  １４  クッション材、
１４ａ，１４ｃ，１４ｅ，１４ｆ  第１部分、  １４ｂ，１４ｄ  第２部分、
１００  風呂蓋、  １１０  浴槽。
【図１】
2017119009.tif 000003
【図２】
2017119009.tif 000004
【図３】
2017119009.tif 000005
【図４】
2017119009.tif 000006
【図５】
2017119009.tif 000007
【図６】
2017119009.tif 000008
【図７】
2017119009.tif 000009
【図８】
2017119009.tif 000010
【図９】
2017119009.tif 000011
【図１０】
2017119009.tif 000012
【図１１】
2017119009.tif 000013
【図１２】
2017119009.tif 000014
【図１３】
2017119009.tif 000015